(57)【特許請求の範囲】
【請求項１】
洗面台や流し台の天板に固定される基台と、前記基台に昇降自在に挿通されるスライド管と、前記スライド管を挿通するホースにより水栓と接続するシャワーヘッドとを備えたシャワー装置において、前記スライド管は上部先端に係合孔を備えた支持部を形成し、前記シャワーヘッドは支持部の係合孔に係合する本体部と、この本体部の係合孔に対する係合を解除可能な操作ボタンとを備えた抱束部材によりスライド管に着脱自在に結合し、シャワーヘッドの上下方向の操作でスライド管を昇降自在としたことを特徴とするシャワー装置。
【請求項２】
前記シャワーヘッドは操作ボタンの操作で抱束部材によるスライド管との係合を解除することで、スライド管からホースと共に引き出し自在としたことを特徴とする請求項１記載のシャワー装置。
【請求項３】
洗面台や流し台の天板に固定される基台と、前記基台に昇降自在に挿通されるスライド管と、前記スライド管を挿通するホースにより水栓と接続するシャワーヘッドとを備えたシャワー装置において、前記スライド管は上部先端に係合孔を備えた支持部を形成し、前記シャワーヘッドは開口部内周面に支持され外周方向への弾性力を有する板ばねと、この板ばねの弾性力によりシャワーヘッドに穿設した操作孔から出没自在の操作ボタンと、この操作ボタンの操作で前記支持部の係合孔に弾力的に係合させることのできる係止片とを備えた抱束部材によりスライド管に着脱自在に結合可能で、操作ボタンの操作で係止片を支持部の係合孔へ弾力的に係合させることで、シャワーヘッドの上下方向の操作でスライド管を昇降自在としたことを特徴とするシャワー装置。
【請求項４】
前記シャワーヘッドは操作ボタンを操作しない状態では、板ばねの弾性力により係止片の係合孔への係合が解除されることで、シャワーヘッドをスライド管からホースと共に引き出し自在としたことを特徴とする請求項３記載のシャワー装置。
【請求項５】
前記基台を天板の上部に固定するカバーとシャワーヘッドは、互いに向かい合う面の断面外形形状を同一としたことを特徴とする請求項１乃至４の何れかに記載のシャワー装置。
【発明の詳細な説明】
【０００１】
【発明の属する技術分野】
本発明は洗面台や流し台等で、天板に支持されたシャワーヘッドの高さを調節することで、洗髪等を行なうようにしたシャワー装置に関するものである。
【０００２】
【従来の技術】
従来、洗面台や流し台等の天板に水栓と共にシャワーヘッドを取り付け、このシャワーヘッドは昇降自在とすることにより洗髪等を行なえるようにしたシャワー装置として公知のものに、図１３のものがある。この図１３について簡単に説明すると、洗面台や流し台等の天板５０に固定される基台５１は略円筒状で、下部内周面に雌ねじ部５２が刻設され、外周面の全体に雄ねじ部５３が刻設され、この基台５１は天板５０の上部からカバー５４を前記雄ねじ部５３に螺着し、天板５０の下部からナット５５を雄ねじ部５３に螺着することによって、天板５０に固定されている。
【０００３】
別に設けた緊締筒体５６は上端が前記基台５１の雌ねじ部５２に螺着され、下部に複数個の切欠５８及び環状の突条部５９を有した緊締部５７が設けられ、この緊締部５７の下部外周に設けた環状溝６０にスプリング６１が巻装され、このスプリング６１の軸中心方向への締付力により、緊締部５７は縮径方向へ弾力的に付勢されている。
【０００４】
前記基台５１の内部にはスライド管６２が上下方向に昇降自在に挿通し、このスライド管６２の内部にホース６５が挿通され、このホース６５の先端にシャワーヘッド６６が接続され、ホース６５の他端は混合水栓（図示省略）と接続している。スライド管６２の上端にはシャワーヘッド６６を着脱自在に支持することのできるホルダー６７が取り付けられ、スライド管６２の下端には抜止用のナット６４が取り付けられ、このナット６４の上部には、上下方向に間隔を設けて複数個の凹部６３が周設されている。
【０００５】
したがって、実線に示す定位置にあるシャワーヘッド６６を、洗髪を行なうのに必要な高さである鎖線で示す位置に調節するには、ホルダー６７を手で握りながら上方へ上昇させると、スライド管６２がホルダー６７と共に上昇して、シャワーヘッド６６を鎖線の位置に移動させることができ、この際緊締筒体５６の緊締部５７が収縮方向に作用してスライド管６２の凹部６３を圧迫し、同時にスプリング６１が収縮するので、このスプリング６１の収縮方向の弾性圧力でスライド管６２を安定的に保持することができる。
【０００６】
また、シャワーヘッド６６を引き出して使用する場合は、シャワーヘッド６６を手に持ってホース６５と共にホルダー６７から前方へ引き出せばよい。
【０００７】
上記の構成では、シャワーヘッドをホルダーから引き出すにはシャワーヘッドを手に持つが、シャワーヘッドの上下の高さを調節するには、シャワーヘッドを支持しているホルダーを手に持ち、上昇させる。このようにシャワーヘッドを上下に昇降させるには、シャワーヘッドではなくホルダーを手に持つ必要があり、シャワーヘッドの引き出しと昇降では別の物品を持たなければならず、操作にとまどうものであった。
【０００８】
またホルダーは上下に昇降させる際に、手で持つことが出来るように大きく形成する必要があり、シャワー装置をコンパクトにすることが出来ず、天板上のホルダー及びシャワーヘッドの突出量が大きくなり、洗面台で洗顔や手洗い等の作業を行なう場合に邪魔になるものであった。
【０００９】
しかも天板の上部にはカバー，ホルダー及びシャワーヘッドの各物品が上下に重なり合って露出しており、各物品間に形成される段差部分には水垢やごみが付着しやすく、この段差部分は清掃が容易でなく汚れが目立ち、美観を損なうものであった。
【００１０】
【発明が解決しようとする課題】
本発明が解決しようとする課題は、洗面台や流し台の天板に固定される基台と、前記基台に昇降自在に挿通されるスライド管と、前記スライド管を挿通するホースにより水栓と接続するシャワーヘッドとを備えたシャワー装置において、シャワーヘッドの昇降及び引き出し時の操作性の向上を図るものである。また別の課題は、シャワー装置をコンパクトに形成し、さらに美観の向上を図るものである。
【００１１】
【課題を解決するための手段】
本発明は請求項１では、洗面台や流し台の天板に固定される基台と、前記基台に昇降自在に挿通されるスライド管と、前記スライド管を挿通するホースにより水栓と接続するシャワーヘッドとを備えたシャワー装置において、前記スライド管は上部先端に係合孔を備えた支持部を形成し、前記シャワーヘッドは支持部の係合孔に係合する本体部と、この本体部の係合孔に対する係合を解除可能な操作ボタンとを備えた抱束部材によりスライド管に着脱自在に結合し、シャワーヘッドの上下方向の操作でスライド管を昇降自在としたものである。
【００１２】
請求項２では、前記シャワーヘッドは操作ボタンの操作で抱束部材によるスライド管との係合を解除することで、スライド管からホースと共に引き出し自在としたものである。
【００１３】
請求項３では、洗面台や流し台の天板に固定される基台と、前記基台に昇降自在に挿通されるスライド管と、前記スライド管を挿通するホースにより水栓と接続するシャワーヘッドとを備えたシャワー装置において、前記スライド管は上部先端に係合孔を備えた支持部を形成し、前記シャワーヘッドは開口部内周面に支持され外周方向への弾性力を有する板ばねと、この板ばねの弾性力によりシャワーヘッドに穿設した操作孔から出没自在の操作ボタンと、この操作ボタンの操作で前記支持部の係合孔に弾力的に係合させることのできる係止片とを備えた抱束部材によりスライド管に着脱自在に結合可能で、操作ボタンの操作で係止片を支持部の係合孔へ弾力的に係合させることで、シャワーヘッドの上下方向の操作でスライド管を昇降自在としたものである。
【００１４】
請求項４では、前記シャワーヘッドは操作ボタンを操作しない状態では、板ばねの弾性力により係止片の係合孔への係合が解除されることで、シャワーヘッドをスライド管からホースと共に引き出し自在としたものである。
【００１５】
請求項５では、前記基台を天板の上部に固定するカバーとシャワーヘッドは、互いに向かい合う面の断面外形形状を同一としたものである。
【００１６】
【発明の実施の形態】
以下、本発明の実施の形態を図に基づいて詳細に説明する。本発明の第１の実施形態では図１及び図２に示すように、洗面台又は流し台（本実施例では洗面台１）は天板２の略中央にボウル３が配置されており、天板２の上面にはシングルレバー式の水栓４及びシャワー装置Ａが装着されている。
【００１７】
前記シャワー装置Ａは天板２に固定される基台６と、この基台６に昇降自在に挿通されるスライド管１１と、このスライド管１１を上下に挿通するホース５により前記水栓４と接続するシャワーヘッド２１とを備え、前記水栓４に設けたレバー４ａの操作で温度及び流量が調節された湯水は、ホース５を介してシャワーヘッド２１へ供給され、このシャワーヘッド２１からボウル３へ向けて吐水されるものである。なお、水栓はシングルレバー式に限らず、サーモスタット式あるいは２ハンドル式であってもよい。
【００１８】
前記基台６は合成樹脂の成形によるもので、図２に示すように天板２の取付孔２ａを上下に挿通する略円筒状の固定部材７と、この固定部材７の内部に形成された開口孔７ａの内周面に螺着するガイド部材８とを備えている。
【００１９】
前記固定部材７は外周面全周に雄ねじ部７ｂを形成し、この雄ねじ部７ｂに天板２の上下から、上部断面外形形状が円形のカバー９及び固定ナット１０を夫々螺着することで、天板２に固定されている。
【００２０】
前記ガイド部材８は内部に前記スライド管１１を上下昇降自在に挿通する挿孔８ａを穿設し、この挿孔８ａの下端には、周方向へ弾性変形可能な複数個のストッパー８ｂを内周方向へ突出して爪状に形成している。
【００２１】
前記スライド管１１は合成樹脂による一体成形で、上下に貫通した第１貫通孔１２に前記水栓４と接続するホース５を引き出し自在に挿通させ、上部先端に略円筒状の支持部１３が一体に形成されている。
【００２２】
図２及び図３に示すように、前記支持部１３は上下略中間部よりやや上方の外周面に環状の係合孔１４を備え、前記第１貫通孔１２より大径に形成した第２貫通孔１２ａには、シャワーヘッド２１を嵌合するためのブッシュ１８が、このブッシュ１８の下部外周面に形成した爪１９と支持部１３の内周面に穿設した係止孔１５の弾力的な係合により装着される。このブッシュ１８は支持部１３から上方へ突出する先端に、シャワーヘッド２１を回転方向の位置決め自在に嵌合するための雄セレーション２０が環状に形成されている。
【００２３】
また、スライド管１１の下端部外周面にはフランジ部１６を環状に突出して形成し、このフランジ部１６の下部には環状溝１７を凹設し、前記ガイド部材８に形成したストッパー８ｂは、スライド管１１の上昇時にはフランジ部１６を乗り越え、環状溝１７に弾力的に係合するようにしている。
【００２４】
前記シャワーヘッド２１はスライド管１１の両貫通孔１２，１２ａを挿通するホース５の先端と接続するものであり、前部先端に切替ボタン２２を装着し、この切替ボタン２２の操作で、先端下部に装着した散水板２３から吐水される湯水の吐水形態を、直流又はシャワー水等に切り替えることができる。また、ホース５を挿通するために形成した開口部２４の内周面に螺着した接続部材２６は、前記ブッシュ１８の雄セレーション２０と嵌合する形状の雌セレーション２７が形成されている。
【００２５】
したがって、シャワーヘッド２１をスライド管１１の支持部１３に嵌合すると、接続部材２６の雌セレーション２７は、ブッシュ１８の雄セレーション２０に対し回転方向の任意の位置で嵌合し、シャワーヘッド２１を所定の方向に向けた状態で保持することができる。
【００２６】
また、シャワーヘッド２１は開口部２４の断面外形形状が、前記カバー９と同一とすることで、シャワーヘッド２１とカバー９は嵌合部で外形線が一致するようにしている。このようにシャワーヘッドとカバーの外形形状が同一であれば、シャワーヘッドとカバーの間の段差が少なく、水垢や異物の付着を少なくして、清潔に保つことができる。
【００２７】
図３及び図４に示すように、前記シャワーヘッド２１の開口部２４内周には、抱束部材３０とケース３４とが装着され、このケース３４には抱束部材３０を弾力的に付勢するスプリング３６と押圧具３７とが収容され、押圧具３７の一部はケース３４から露出している。
【００２８】
前記抱束部材３０は略リング状で、本体部３１の中心に前記スライド管１１の支持部１３が挿通する挿通孔３２が穿設され、本体部３１の外周面には、シャワーヘッド２１の側面に開口した操作孔２５を挿通して外部へ露出する操作ボタン３３を一体に突出している。
【００２９】
前記ケース３４には、略リング状の本体部３１をスライド管１１の支持部１３に形成された環状の係合孔１４に係合するように弾力的に付勢する押圧具３７と、この押圧具３７を弾力的に付勢するスプリング３６とが収容される。このケース３４は前後両面を開口した略箱型で両側面に突起３５が形成され、シャワーヘッド２１の開口部２４内周に形成された一対のアーム２８に、このアーム２８に形成された凹部２９とケース３４の突起３５が係合することで支持されるものである。
【００３０】
したがって、シャワーヘッド２１は抱束部材３０によりスライド管１１の支持部１３に結合している状態では、図５に示すようにシャワーヘッド２１を手に持って引き上げるとスライド管１１も共に上昇させることができる。
【００３１】
次にこの状態で図６に示すように抱束部材３０の操作ボタン３３を押すと、抱束部材３０はスプリング３６の付勢力に抗して移動するので、抱束部材３０の本体部３１と係合孔１４の係合は解除され、操作ボタン３３を押した状態のままシャワーヘッド２１を引き出すと、図７に示すようにシャワーヘッド２１はホース５と共にスライド管１１から引き出し可能である。
【００３２】
このようにスライド管とシャワーヘッドは抱束部材により結合しているので、シャワーヘッドを昇降させるには、シャワーヘッドを手に持って引き上げればスライド管も共に上昇し、シャワーヘッドをホースと共にスライド管から引き出すには、シャワーヘッドを手に持ち、抱束部材の操作ボタンを押した状態のまま、シャワーヘッドをスライド管から引き出せばよい。
【００３３】
上記構成において、図２に示すようにシャワーヘッド２１がスライド管１１に支持された状態では、シャワーヘッド２１は比較的低い位置にあり、水栓４のレバー４ａを操作すれば、ホース５を通過した湯水はシャワーヘッド２１から吐水し、手洗いや洗顔を良好に行なうことができる。
【００３４】
次に洗髪等を行なうためシャワーヘッド２１の高さを変更するには、図５に示すようにシャワーヘッド２１を手に持ってスライド管１１と共に上昇させる。この際、シャワーヘッド２１は抱束部材３０により本体部３１が支持部１３の係合孔１４に係合しているので、スライド管１１をシャワーヘッド２１と共に上昇させることができ、スライド管１１のフランジ部１６はガイド部材８のストッパー８ｂを拡開し、ストッパー８ｂが環状溝１７に弾力的に係合したところの高さで安定的に保持される。
【００３５】
次にシャワーヘッド２１をスライド管１１から引き出して使用するには、図６に示すようにシャワーヘッド２１に装着されている抱束部材３０の操作ボタン３３を押すと、抱束部材３０はスプリング３６により付勢された押圧具３７に抗して移動するので、本体部３１と支持部１３の係合孔１４の係合は解除され、図７に示すようにシャワーヘッド２１をホース５と共にスライド管１１から引き出すことができる。
【００３６】
また、シャワーヘッド２１の使用を終えスライド管１１に支持するには、抱束部材３０の操作ボタン３３を押した状態のまま、シャワーヘッド２１をスライド管１１の支持部１３に支持し、操作ボタン３３から手を離せば押圧具３７はスプリング３６により付勢され、再び抱束部材３０の本体部３１が係合孔１４に係合し、シャワーヘッド２１はスライド管１１に支持される。
【００３７】
図８乃至図１２は本発明の第２の実施形態である。この実施形態のシャワー装置Ｂは、シャワーヘッドには第１の実施形態とは異なる構造の抱束部材が装着される。
【００３８】
図８に示すように抱束部材４０は板ばね４１と操作ボタン４２と係止片４２ｃとを備え、板ばね４１は弾性力を備えた金属材又は合成樹脂材により形成され、スライド管１１の支持部１３外周面を環状に覆うことができるように湾曲させた略リング状であり、シャワーヘッド２１ａの開口部２４ａ内周面に沿って略同一間隔毎に形成された複数個のリブ２４ｂと開口部２４ａの内周面の間に支持され、一端に形成された折曲部４１ａがリブ２４ｂに係止されて周方向に移動しないように保持されている。
【００３９】
前記操作ボタン４２はシャワーヘッド２１ａの側面に開口した操作孔２５ａを開口部２４ａから挿通して、その頭部４２ａが外側へ出没自在としたものである。操作ボタン４２は開口部２４ａの内周で前記板ばね４１の折曲部４１ａの反対側に形成された端部４１ｂと当接して、板ばね４１により外側へ向けて弾力的に付勢される受部４２ｂと、スライド管１１の支持部１３に形成された環状の係合孔１４に部分的に係合するように弓状に湾曲した係止片４２ｃとを備えており、図９に示す係止片４２ｃが係合孔１４に係合していない状態から、図１０に示すように、操作孔２５ａから外側へ出没している操作ボタン４２の頭部４２ａを操作すれば、板ばね４１を開口部２４ａの内側へ弾力的に付勢させることができ、係止片４２ｃを係合孔１４に係合するようにしている。なお、係止片は本実施例のように操作ボタンに一体に形成しないで、板ばねに一体に形成してもよい。また、その他の構成は前記第１実施形態と同一であるので、同一物品には同一の符号を付し、詳細な説明を省略する。
【００４０】
本実施形態のシャワー装置Ｂでは図１０に示すように、シャワーヘッド２１ａは操作ボタン４２の操作で、抱束部材４０により係止片４２ｃが支持部１３の係合孔１４に係合し、スライド管１１に結合している状態では、図１１に示すようにシャワーヘッド２１ａを手に持って引き上げると、スライド管１１も共に基台６から上昇させることができる。
【００４１】
さらに図１１より操作ボタン４２から指を離すと、操作ボタン４２は板ばね４１により外側方向に弾力的に付勢され、係止片４２ｃと係合孔１４の係合は解除されるので、この状態では図１２に示すように、シャワーヘッド２１ａをホース５と共にスライド管１１から引き出すことができる。
【００４２】
以上のように第２の実施形態ではシャワーヘッドの昇降操作時に抱束部材の操作ボタンを操作するようにしたものである。
【００４３】
【発明の効果】
本発明のシャワー装置では、シャワーヘッドを握ればシャワーヘッドの引き出しだけでなく、スライド管の上下の昇降も行なうことが出来、従来のシャワーヘッドの上下の昇降と引き出しでは握るところが異なるものと比較して誤操作がなく、操作性を大幅に向上させることができる。
【００４４】
また、本発明のシャワー装置は、カバーとシャワーヘッドの間に従来のようなシャワーヘッドを支持するためのホルダーを省略して、シャワーヘッドをスライド管に結合することで、コンパクトに形成することができ、天板の上部のスペースをすっきりさせて作業性及び美観を向上させることができる。
【００４５】
さらに天板の上部には、カバーとシャワーヘッドの間にシャワーヘッドを支持するためのホルダーが存在せず、しかもカバーとシャワーヘッドは、互いに向かい合う面の断面外形形状を同一としたので、露出部の段差が少なく、水垢や異物の付着を少なくして、清潔に保つことができる。
【図面の簡単な説明】
【図１】本発明の第１の実施形態によるシャワー装置を洗面台に装着した状態の説明図である。
【図２】シャワー装置を洗面台の天板に固定した状態の側断面図である。
【図３】スライド管に結合するシャワーヘッドの一部破断した説明図である。
【図４】シャワーヘッドに抱束部材を装着する場合の説明図である。
【図５】図２のシャワー装置において、スライド管が上昇した状態の説明図である。
【図６】図５のシャワー装置において、抱束部材の操作ボタンを操作した状態の説明図である。
【図７】図６のシャワー装置において、シャワーヘッドをスライド管から引き出した状態の説明図である。
【図８】第２の実施形態によるシャワー装置で、スライド管に結合するシャワーヘッドの一部破断した説明図である。
【図９】図８のシャワー装置を洗面台の天板に固定した状態の側断面図である。
【図１０】図９のシャワー装置において、抱束部材の操作ボタンを操作した状態の説明図である。
【図１１】図１０のシャワー装置において、スライド管が上昇した状態の説明図である。
【図１２】図１１のシャワー装置において、シャワーヘッドをスライド管から引き出した状態の説明図である。
【図１３】従来技術の説明図である。
【符号の説明】
１                    洗面台
２                    天板
４                    水栓
５                    ホース
６                    基台
９                    カバー
１１                  スライド管
１３                  支持部
１４                  係合孔
２１，２１ａ          シャワーヘッド
２４，２４ａ          開口部
２５，２５ａ          操作孔
３０，４０            抱束部材
３１                  本体部
３３，４２            操作ボタン
４１                  板ばね
４２ｃ                係止片
Ａ，Ｂ                シャワー装置
【図１】
0003732786.tif 000002
【図２】
0003732786.tif 000003
【図３】
0003732786.tif 000004
【図４】
0003732786.tif 000005
【図５】
0003732786.tif 000006
【図６】
0003732786.tif 000007
【図７】
0003732786.tif 000008
【図８】
0003732786.tif 000009
【図９】
0003732786.tif 000010
【図１０】
0003732786.tif 000011
【図１１】
0003732786.tif 000012
【図１２】
0003732786.tif 000013
【図１３】
0003732786.tif 000014